(57)【要約】  本発明は、プラグインコネクタをハウジング壁などに接続するための壁ブッシング（１）に関する。ここでは、壁ブッシング（１）を、３つの固定孔（６）により、開口を介して、配置および固定できる。３つの固定孔（６）の有利な配置により、ハウジングへの壁ブッシング（１）の特に確実かつ安定な固定が保証される。また、壁ブッシング（１）の本発明の特別な形状により、付加的に、小さい空間に多数の壁ブッシング（１）を取り付けることのできる高い取り付け密度が得られる。
2017537447.tif 000002
【特許請求の範囲】
【請求項１】
プラグインコネクタ用の壁ブッシング（１）であって、
前記壁ブッシング（１）には、貫通開口（４）を包囲するカラー（３）を有する固定フランジ（２）が形成されており、
前記貫通開口（４）は前記固定フランジ（２）を貫通して延在しており、
前記カラー（３）に係止手段（５）が設けられている、
壁ブッシング（１）において、
前記固定フランジ（２）は、正確に３つの固定孔（６）を有する、
ことを特徴とする壁ブッシング（１）。
【請求項２】
前記カラー（３）は長方形状に形成されている、
請求項１記載の壁ブッシング（１）。
【請求項３】
前記３つの固定孔（６）のうち２つは、前記カラー（３）の長方形状の中心点に関して点対称に配置されている、
請求項２記載の壁ブッシング（１）。
【請求項４】
前記固定フランジ（２）は、前記カラー（３）とは反対側の面にシール（７）を有する、
請求項１から３までのいずれか１項記載の壁ブッシング（１）。
【請求項５】
前記シール（７）は少なくとも前記貫通開口（４）を包囲している、
請求項４記載の壁ブッシング（１）。
【請求項６】
前記固定フランジ（２）は、前記カラー（３）を、少なくとも２つの辺で包囲している、
請求項２から５までのいずれか１項記載の壁ブッシング（１）。
【請求項７】
前記固定フランジ（２）の向かい合う２つの領域（２．１，２．２）に前記３つの固定孔（６）が配置されており、
第１の領域（２．１）は前記３つの固定孔（６）のうち２つを有し、向かい側の第２の領域（２．２）は前記３つの固定孔（６）のうち１つを有する、
請求項６記載の壁ブッシング（１）。
【請求項８】
前記固定フランジ（２）の前記向かい合う２つの領域（２．１，２．２）は、前記固定孔（６）の周囲で切り欠かれており、かつ相互にパズルピース状に係合可能である、
請求項７記載の壁ブッシング（１）。
【請求項９】
複数の、請求項７または８記載の壁ブッシング（１）から成る装置であって、
複数の壁ブッシング（１）は相互に少なくとも１つの列に並ぶように配置されており、
１つの壁ブッシング（１）の第１の領域（２．１）がそれぞれ隣接する壁ブッシング（１）の第２の領域（２．２）に係合している、
装置。
【発明の詳細な説明】
【技術分野】
【０００１】
本発明は、独立請求項１の上位概念記載の、プラグインコネクタ用の壁ブッシングに関する。
【０００２】
こうした壁ブッシングは、プラグインコネクタを、壁上もしくは壁裏に収容されている対抗コネクタに接続するために必要とされる。ここでは、壁ブッシングは、プラグインコネクタの機械的接続および係止に用いられる。対抗コネクタは、大抵の場合、壁裏で、例えば回路板に機械的に固定されており、壁ブッシングに対して相対的に不動である。
【０００３】
こうした壁ブッシングの使用領域は、スイッチングキャビネットから、機器ハウジングおよび制御機器を経て、スイッチケース、さらに、プラグインコネクタによってケーブルが導通されるその他の壁にまで及んでいる。ここで、好ましくは、電気ケーブルもしくは光ケーブルが用いられる。
【０００４】
従来技術
独国特許第１０２００８０４７１４５号明細書には、産業上の環境条件に対応するプラグインコネクタの壁ブッシングが示されている。ここでは、壁ブッシングに、２つまたは４つのねじによって壁に固定可能なフランジが設けられている。フランジと壁との間には、ねじによって圧着されるシールが配置されている。当該フランジには、プラグインコネクタの接続に用いられる取り付けフレームが配置されている。
【０００５】
こうした形式の壁ブッシングで欠点となるのは、フランジ輪郭の大きな構造形状である。当該フランジ輪郭は、壁ブッシングを確実に壁に接続するには必須である。ただし、当該フランジは、スペースのコストがきわめて高い。取り付けフレームの周囲に４つのねじが配置される場合、フランジとねじ孔とに対する多くのスペースが必要となる。
【０００６】
４つのねじを配置する手段に代えて、２つのねじのみを用いる手段が公知である。各ねじは、取り付けフレームに隣接する２つの側面に配置されている。ただし、こうした配置では、ねじ間の長手方向の領域における取り付けフレームの封止を保証するために、きわめて高い圧力がねじの領域のシールに適用される。
【０００７】
また、２つのみのねじによるこうした壁ブッシングの取り付けは、プラグインコネクタによって生じることのある側方からの負荷にきわめて弱い。つまり、プラグインコネクタでの（例えばケーブル自重による）引張り力により、側方負荷が発生しうる。さらに、壁ブッシングにプラグインコネクタを非線形の差し込み力で差し込むことにより、または、壁ブッシングからプラグインコネクタを非線形の引き抜き力で引き抜くことにより、側方モーメントが壁ブッシングに作用しうる。２つのねじを結ぶ線に対して横断方向に当該モーメントが作用する場合、特に、シールの一方側の負荷が軽減されてしまい、密な接続が失われる。
【０００８】
課題の設定
本発明の課題は、公知の壁ブッシングの公知の問題を解決できる、プラグインコネクタ用の壁ブッシングを提供することである。詳しくは、当該壁ブッシングは、取り付けのための必要スペースが少なくて済み、高い充填密度で並べて配置できるものであるとよい。また、当該壁ブッシングが、発生する側方の力の作用に対して不感であって、大きな側方の力がかかっても密接性を保持できることが望ましい。
【０００９】
この課題は、独立請求項１記載の特徴によって解決される。
【００１０】
本発明の有利な実施形態は、各従属請求項に記載されている。
【００１１】
本発明は、プラグインコネクタ用の壁ブッシングに関する。当該壁ブッシングには、壁への取り付けのために設けられた固定フランジが形成されている。当該固定フランジは、ケーブルもしくはプラグインコネクタを導通するための貫通開口を有する。
【００１２】
固定フランジの一方側の面にはカラーが設けられている。カラーは貫通開口を包囲している。当該カラーは外面に係止手段を有し、これによりプラグインコネクタケーシングに対する機械的な係止に適する。
【００１３】
固定フランジの、カラーとは反対側の面は、壁への取り付けのために設けられている。このために、当該面には、固定フランジと壁との間に圧着可能なシールが設けられている。
【００１４】
壁ブッシングを壁に固定するために、固定フランジには３つの固定孔が形成されている。各固定孔は好ましくはボアとして形成され、ねじを収容するように構成される。固定フランジの固定孔のねじを用いて、固定フランジを壁にねじ止めし、シールを圧着することができる。シールは、好ましくは、貫通開口の周囲を封止するために、少なくともこの貫通開口を包囲するように形成されている。
【００１５】
好ましい一実施形態では、プラグインコネクタの係止のために設けられるカラーは、長方形状に形成される。ここで、カラーは、固定フランジがカラーを３つの辺で包囲するように、固定フランジに配置される。好ましくは、長方形状のカラーの２つの短辺と、その間にあるカラーの１つの長辺とが、固定フランジによって包囲される。
【００１６】
３つの固定孔が、固定フランジのうち、長方形状のカラーの短辺に隣接する２つの領域に設けられると好都合である。この場合、固定フランジの２つの領域のうち第１の領域に２つの固定孔が形成され、第２の領域に１つの固定孔が形成される。
【００１７】
特に有利な実施形態では、固定フランジの第２の領域の固定孔が、他の２つの固定孔の一方とともに、長方形状のカラーの中心点に関して点対称に位置するように構成される。この場合、残りの固定孔は、点対称に配置された固定孔を結んだ軸線からできるだけ離れるように配置される。こうした配置により、側方の力が作用した場合に、壁ブッシングに対する特に大きなてこ作用が得られる。３点での固定により、壁ブッシングは特には遊びなく壁に接する。傾動は不可能である。
【００１８】
別の実施形態では、固定フランジが一様でない幅でカラーの周囲に形成されるように構成される。固定フランジの第１の領域および第２の領域では、固定孔の間でこのフランジが切り欠かれる。これにより、固定フランジは、第１の領域および第２の領域では、固定孔を取り巻くパズルピース形状を有する。
【００１９】
当該実施形態の特に好ましい発展形態では、固定フランジの第１の領域が固定フランジの第２の領域のネガ形状を有する。これは、第１の壁ブッシングの固定フランジの第１の領域が第２の壁ブッシングの固定フランジの第２の領域に形状結合によって組み合わせ可能であることを意味する。２つの壁ブッシングは、相互にパズルピース状に組み合わせ可能である。これにより、複数の壁ブッシングをきわめて小さな距離で相互に並べて固定でき、しかもその際にそれぞれの本来の固定フランジに対する多くの自由空間が失われることがない。
【００２０】
実施形態
本発明の実施形態を図示し、以下に詳細に説明する。
【図面の簡単な説明】
【００２１】
【図１】従来技術から公知の壁ブッシングを示す斜視図である。
【図２】従来技術から公知の別の壁ブッシングを示す斜視図である。
【図３】本発明の壁ブッシングを示す斜視図である。
【図４】本発明の図３の壁ブッシングの前面図である。
【図５】ラスタ状に組み合わされた複数の壁ブッシングから成る装置を示す図である。
【００２２】
各図は、部分的に簡単化された略示を含む。一部では、同一の要素に対し、また場合によりまったく同一ではないが同様の要素に対し、同じ参照番号を使用している。同じ要素を異なる視点から見た場合に、異なったスケールで示したところもある。
【００２３】
図１には、従来技術から公知の壁ブッシング１が斜視図で示されている。壁ブッシング１は、中央に位置する長方形状の貫通開口４を有する固定フランジ２から形成されている。貫通開口４の周囲にはカラー３が配置されている。当該カラー３はプラグインコネクタの接続および係止のために設けられている。
【００２４】
カラー３は長方形状に構成されており、固定フランジ２から離れる方向に延在している。カラー３の外側には、対抗コネクタの機械的係止を行うように構成された係止手段５が取り付けられている。係止手段５は、この例では、対抗コネクタのラッチアームに係合可能なラッチグリップとして構成されている。これに代えて、この場合に、ねじまたはバヨネットマウント用の係止手段を設けてもよい。
【００２５】
固定フランジ２はさらに、４つの固定孔６を有する。ここでは、固定孔６は、正方形状の固定フランジ２の各角に配置されている。こうした配置により、固定フランジ２をハウジング壁に最大限確実に固定することができる。固定フランジ２の大きな載置面が、４つの角全てで壁に接続される。
【００２６】
これにより、固定フランジ２からハウジング壁への最大の力の伝達が可能となる。これは特に、横断方向の力がカラー３にかかった場合に、これを良好に逃がして、ハウジング壁に良好に吸収させることができるので有利である。
【００２７】
図示の壁ブッシング１で欠点となるのは、必要な構造面積である。固定フランジ２が比較的大きいことにより、ハウジング壁面に、固定フランジ２を載置して例えば固定孔６を通したねじによってねじ止めできるようにするために、きわめて大きなスペースが必要である。
【００２８】
こうした欠点が図２の壁ブッシング１で解消されている。同様に従来技術から公知の壁ブッシング１の当該形態では、固定フランジ２が大幅に縮小されている。
【００２９】
固定フランジ２は大幅に縮小されている。貫通開口４およびカラー３の上方で、固定フランジ２はほぼ完全に除去されている。側方領域では、固定フランジ２は固定孔６の周囲のみに存在している。残りの領域は切り欠かれている。
【００３０】
固定孔６の周囲の固定フランジ２を切り欠くことによって、２つの壁ブッシング１の組み合わせが可能となる。或る壁ブッシング１の固定フランジ２を隣の壁ブッシング１の固定フランジ２の切欠部に係合させることにより、複数の壁ブッシング１を格段に密に配置できる。
【００３１】
また、固定フランジ２が、４つでなく２つの固定孔６を有してもよい。貫通開口４およびカラー３の中心点を通る対角線上の有利な位置に固定孔６を配置することによって、良好な固定を達成することができる。
【００３２】
ただし、当該壁ブッシング１の構成では、カラー３への差し込み方向に対して横断方向に作用する力が生じたときに、壁ブッシング１がきわめて不安定になることが欠点である。特に、ケーブルの引張りまたはプラグインコネクタの差し込みまたは引き抜きによって軸線に対して横断方向の力が固定孔６間に発生した場合には、壁ブッシング１全体が傾いてしまうこともある。
【００３３】
固定フランジ２と壁との間の接続部がさらにシール７によって封止されていると、横断方向負荷が生じた場合に付加的にこのシール７が圧縮され、壁ブッシング１の密接性が失われることがある。例えば、上方へ向かう力が図２の壁ブッシング１のカラー３にかかると、シール７は上方領域でさらに圧縮され、固定フランジ２の下方領域に空隙が生じる。これにより、湿分または他の環境影響が侵入することがある。
【００３４】
図３には、本発明の壁ブッシング１が斜視図で示されている。壁ブッシング１は、例えば図２の公知の壁ブッシング１とほぼ同じ構造を有する。固定フランジ２は、ハウジング壁への固定のために設けられている。固定フランジ２の貫通開口４により、固定フランジ２を通してプラグインコネクタを案内し、対抗コネクタに接続することができる。
【００３５】
貫通開口４の周囲には、プラグインコネクタを係止するための係止手段５を有するカラー３が取り付けられている。本発明によれば、固定フランジ２に３つの固定孔６（６．１，６．２，６．３）が形成されている。固定孔６を通して、固定フランジ２をハウジング壁に固定するのに用いられるねじもしくはピンもしくはリベットを案内できる。
【００３６】
３つの固定孔６は、各固定孔にできるだけ良好に力を分配できるよう、固定フランジ２に形成されている。このために、固定フランジ２の左方領域２．１に２つの固定孔６．１，６．２が形成されている。この場合、固定孔６．１は領域２．１の上部に配置されており、一方、固定孔６．２は領域２．１の下部に配置されている。
【００３７】
固定フランジ２の右方領域２．２は、固定孔６．１，６．２間の中央に設けられている。第３の固定孔６．３はこの右方領域２．２に形成されている。この場合、固定フランジ２の領域２．２は、固定孔６．３のみを包囲するように形成されている。固定孔６．３の上方および下方では、領域２．２は切り欠かれている。
【００３８】
領域２．１は、上部と下部の間に、別の壁ブッシング１の領域２．２を受容するための切欠部を有する。これにより、２つの壁ブッシング１を相互にきわめて近接に取り付けることができる。
【００３９】
図４には、図３の壁ブッシング１がこんどは前面図で示されている。ここでは、固定フランジ２の形状と固定孔６の位置とが良好に見て取れる。固定孔６．１，６．３は、貫通開口４の中心点を通る軸線上に位置し、中心点に関して点対称に配置されている。
【００４０】
固定孔６．２は、固定フランジ２の領域２．１の下部に配置されており、これにより、貫通開口４の中心点までの最大距離が生じている。このため、壁ブッシング１の最適な固定が可能となる。
【００４１】
固定フランジ２の領域２．１，２．２の特別の構成が図５に示されている。図５には、ラスタ状に組み合わされた複数の壁ブッシング１から成る装置が示されている。ここでは、６つの壁ブッシング１が２行３列に配置されている。
【００４２】
この場合、壁ブッシング１の各領域２．１が、隣の壁ブッシング１の領域２．２に係合している。領域２．１，２．２は、有利には、これらが相互に係合可能となるように、固定孔６の周囲で切り欠かれている。こうして、複数の壁ブッシング１を相互に並べて特に密に配置することができる。
【００４３】
３つの固定孔６．１，６．２，６．３を本発明にしたがって配置し、領域２．１，２．２の固定孔６．１，６．２，６．３の周囲を切り欠くことにより、本発明の課題が特に有利に解決される。
【図１】
2017537447.tif 000003
【図２】
2017537447.tif 000004
【図３】
2017537447.tif 000005
【図４】
2017537447.tif 000006
【図５】
2017537447.tif 000007
【国際調査報告】
2017537447.tif 000008
2017537447.tif 000009
2017537447.tif 000010
2017537447.tif 000011
2017537447.tif 000012
2017537447.tif 000013